(57)【特許請求の範囲】
【請求項１】
マット部と、
このマット部に並べて取付けられ空気の給排気により膨張・収縮する複数の空気袋からなる第１空気袋群と、
前記マット部に並べて取付けられ空気の給排気により膨張・収縮する複数の空気袋からなる第２空気袋群と、
前記マット部に取付けられ前記第１空気袋群の各空気袋に給排気される空気を導く複数本の第１導管群と、
前記マット部に取付けられ前記第２空気袋群の各空気袋に給排気される空気を導く複数本の第２導管群と、
前記第１導管群の各導管と連通して前記マット部に取付けられた第１空気分配器と、
前記第２導管群の各導管と連通して前記マット部に取付けられた第２空気分配器と、
前記第１、第２の空気分配器に接続して前記マット部の長手方向一端部に取付けられたポンプと、
を具備し、
前記各導管を２分して前記マット部の幅方向に振分けて前記第１、第２の空気袋群がなした空気袋列の両側に配置し、その内の一方を前記第１導管群とし他方を前記第２導管群とし、前記ポンプを前記マット部の幅方向中央部に配置し、前記各導管が個別に接続される前記第１、第２の空気分配器の各導管接続口を前記マット部の長手方向に向けるとともに、前記各導管接続口が前記空気袋列の延長上から外れて位置するように前記第１、第２の空気分配器を、前記マット部の幅方向に振分けて前記ポンプの両側に配置したことを特徴とするマット式エアーマッサージ機。
【請求項２】
前記空気袋列を前記マット部の幅方向中央部に配置したことを特徴とする請求項１に記載のマット式エアーマッサージ機。
【発明の詳細な説明】
【０００１】
【発明の属する技術分野】
本発明は、マット部に並設した複数の空気袋を膨張・収縮させてマット部上の使用者の被施療部位をマッサージするマット式エアーマッサージ機に関する。
【０００２】
【従来の技術】
従来のマット式エアーマッサージ機は、図５に示すようにマット部１と、これとは別置きされるエアー給排気装置２とを備えている。マット部１には、その長手方向に並べて複数の空気袋３が一定間隔で取付けられているとともに、これら空気袋３に給排気される空気を個別に導く複数本の導管４がマット部１の幅方向の一側に寄せて配置されている。これら導管４の一端はマット部１に取付けられたコネクタ５に接続され、他端は対応する空気袋３に夫々接続されている。エアー給排気装置２は、圧縮空気を生成するエアーポンプ６と、このポンプ６の吐出し口にエアーホースを介して接続されたロータリー弁からなる一つの空気分配器７と、この分配器７に接続された中継導管８と、これら中継導管８群の先端に接続されたコネクタ９とから形成されている。空気分配器７は空気袋３と同数の導管接続口を有しているとともに、空気袋３から排出される空気を大気中に放出するための排気部を有している。コネクタ９はマット部１のコネクタ５に着脱可能に接続され、その接続により両導管４、８の夫々が両コネクタ５、９を介して連通されるようになっている。
【０００３】
このマット式エアーマッサージ機は、図示しない入力部での操作入力に応じて同じく図示しない制御装置によりエアー給排気装置２を動作させることにより、各空気袋３に対し、エアーポンプ６で生成した圧縮空気を導管４、８及び空気分配器７を介して順次給排気することにより、これら空気袋３を一つずつ順に膨脹・収縮させて、或いは選択した任意の空気袋３のみを膨脹・収縮させてエアーマッサージをする。
【０００４】
【発明が解決しようとする課題】
ところで、導管４は軟質塩化ビニルやエラストマ等により形成されるが、軟質塩化ビニル等は比重が大きい。そのため、マット部１の幅方向一端側に寄せて空気袋３と同数の導管４をまとめて配置した従来の構成では、重量バランス的にマット部１の幅方向片側が重くなっており、エアーマッサージ機の持ち運び等取扱い上不便である。
【０００５】
又、前記のように全ての導管４をまとめて配置するので、マット部１に並設する空気袋３の数を増やした場合には、それに応じて増える各導管４が密に混み入り、そのため、これら導管４のマット部１への配管作業や、導管４のメンテナンス作業等が面倒になり易い。このようなことから従来のエアーマッサージ機は、その空気袋３の配設密度を高めるには適しておらず、マッサージ密度を高めることが難しい。
【０００６】
更に、前記マット式エアーマッサージ機では、マット部１の幅方向中央部に各空気袋３を配置するので、使用者の多少の体格の差などに拘らずマット部１上に横たわった使用者と空気袋３との対応関係を適正に確保し易い。この場合、図５において中心線からマット部１の両側縁までの距離Ａが等しいので、全ての導管４がまとめて配置されたマット部１の幅方向一端側とは反対の幅方向他端側には、何も配置されてない無駄なスペースＳが形成される。そして、全ての導管４をまとめて配置するための配置スペースには大きな幅を要するので、この幅に対応して前記無駄なスペースＳの幅も大きく必要であり、したがって、マット部１の幅Ｂが大きいという問題がある。
【０００７】
本発明が解決しようとする第１の課題は、取扱いが容易であるとともに、導管の配管作業及びメンテナンス作業が容易なマット式エアーマッサージ機を得ることにある。
【０００８】
本発明が解決しようとする第２の課題は、前記第１の課題を解決するにあたり、幅方向の小形化が可能なマット式エアーマッサージ機を得ることにある。
【０００９】
【課題を解決するための手段】
前記第１の課題を解決するために、請求項１に係る発明のマット式エアーマッサージ機は、マット部と、このマット部に並べて取付けられ空気の給排気により膨張・収縮する複数の空気袋からなる第１空気袋群と、前記マット部に並べて取付けられ空気の給排気により膨張・収縮する複数の空気袋からなる第２空気袋群と、前記マット部に取付けられ前記第１空気袋群の各空気袋に給排気される空気を導く複数本の第１導管群と、前記マット部に取付けられ前記第２空気袋群の各空気袋に給排気される空気を導く複数本の第２導管群と、前記第１導管群の各導管と連通して前記マット部に取付けられた第１空気分配器と、前記第２導管群の各導管と連通して前記マット部に取付けられた第２空気分配器と、前記第１、第２の空気分配器に接続して前記マット部の長手方向一端部に取付けられたポンプと、を具備し、
前記各導管を２分して前記マット部の幅方向に振分けて前記第１、第２の空気袋群がなした空気袋列の両側に配置し、その内の一方を前記第１導管群とし他方を前記第２導管群とし、前記ポンプを前記マット部の幅方向中央部に配置し、前記各導管が個別に接続される前記第１、第２の空気分配器の各導管接続口を前記マット部の長手方向に向けるとともに、前記各導管接続口が前記空気袋列の延長上から外れて位置するように前記第１、第２の空気分配器を、前記マット部の幅方向に振分けて前記ポンプの両側に配置したことを特徴とするものである。
【００１０】
この発明及び以下の各発明において、例えばポリエチレン樹脂等の合成樹脂又はゴム等で成形される空気袋はマット部に対して直接固定されていても、又は、カバー袋に収容して、このカバー袋をマット部に固定することによって取付けてもよい。又、マット部は、折畳み可能であっても、そうでなくてもよい。そして、各導管は、マット部が折畳み可能な場合には、軟質塩化ビニル、又はゴムやシリコンゴム等のエラストマ製とすることができ、マット部が折畳めない場合にあっては、硬質合成樹脂や金属等で作ることができる。更に、ポンプは、第１空気袋群及び第２空気袋群の夫々に対して専用のポンプを設けてもよく、或いは１台の共有ポンプとして、そこから吐出される圧縮空気を電磁開閉弁を用いて第１、第２の空気分配器に選択的に供給するようにしてもよい。
【００１３】
この発明は、第１、第２の空気分配器及びポンプをマット部に取付けたマット式エアーマッサージ機において、第１、第２の空気分配器を第１、第２の導管群と同様にマット部の幅方向に振分けて配置しているとともに、ポンプをマット部の幅方向中央部に配置している。そのため、第１、第２の導管群と同様に、第１、第２の空気分配器及びポンプが、マット部の幅方向片側を重くする原因とならず、マット部の幅方向の重量バランスを均衡させることができるものであり、したがって、前記第１の課題を解決できる。
【００１４】
更に、請求項１の発明では、前記各導管が個別に接続される前記第１、第２の空気分配器の各導管接続口を前記マット部の長手方向に向けて、前記第１、第２の空気分配器を配置したので、各導管においてマット部の長手方向に延びる部分の方向と、各導管接続口の突出方向とが一致する。このため、各導管を対応する各導管接続口に接続するに際して、第１又は第２の空気分配器の周囲を回り込むように導管を引き回す必要がなくなり、各導管をそれに対応する各導管接続口に容易に接続できる。
【００１５】
しかも、請求項１の発明では、前記第１、第２の導管群を前記第１、第２の空気袋群がなした空気袋列の両側に配置したので、各導管が空気袋の下側に重なることがない。このため、各導管が軟質である場合に空気袋の膨脹や使用者の体重によって各導管が押し潰されて、給排気不良を生じる恐れがない。
【００１６】
前記第２の課題を解決するために、請求項１の発明に従属する請求項２に係る発明は、前記空気袋列を前記マット部の幅方向中央部に配置したことを特徴とするものである。
【００１７】
この発明においては、既述のように空気袋と同数の導管を２群に分けてマット部の幅方向に振分けたこととあいまって、マット部の幅方向片側に無駄なスペースが形成されることがなく、かつ、夫々の導管群を配管するのに必要な幅方向スペースを狭くできる。
【００１８】
【発明の実施の形態】
以下、図１及び図２を参照して本発明の第１の実施の形態を説明する。
【００１９】
図１はマット式エアーマッサージ機１１全体の構成を示しており、このマッサージ機１１は、マット部１２と、複数の施療用空気袋１３Ａ〜１３Ｈがなす第１空気袋群と、同じく複数の施療用空気袋１４Ａ〜１４Ｈがなす第２空気袋群と、空気袋１３Ａ〜１３Ｈと同数の導管１５Ａ〜１５Ｈがなす第１導管群と、同じく空気袋１４Ａ〜１４Ｈと同数の導管１６Ａ〜１６Ｈがなす第２導管群と、エアー給排気装置１７と、制御装置１８（図２参照）とを備えている。
【００２０】
マット部１２は、その上に横たわる使用者の身体を受けるマッサージ基板２１を備えている。この基板２１の裏面には裏打ちシート２２が取付けられ、又、マッサージ基板２１の両側部表面には夫々フレーム２３が取付けられているとともに、前記基板２１の長手方向一端部表面にはヘッドレスト２４が取付けられている。更に、マット部１２は、そのマッサージ基板２１、フレーム２３、ヘッドレスト２４、各空気袋１３Ａ〜１３Ｈ、１４Ａ〜１４Ｈ、及び前記基板２１の長手方向他端部表面に配置されたエアー給排気装置１７などを覆うマット部カバー２５を有しており、このカバー２５は取外し可能である。
【００２１】
マッサージ基板２１は、硬質材料で形成してもよいが、本実施形態では長手方向中央部で折り曲げできるように形成され、それにより、マット部１２が二つ折り可能で運搬や収納に便利なようになっている。裏打ちシート２２は自在に変形し得る布等からなる。フレーム２３及びヘッドレスト２４は夫々発泡体たとえば発泡ウレタン樹脂等で形成され、マット部１２の折り畳みをより容易にするためにフレーム２３は、マット部１２の長手方向中央部において分離されている。マット部カバー２５は自在に変形し得る布等からなり、その周縁部が取外し可能にマッサージ基板２１等に接続されている。
【００２２】
ポリエチレン樹脂により一体に成形されて収縮した状態では平面視略長方形状をなす各空気袋１３Ａ〜１３Ｈ、１４Ａ〜１４Ｈは、その長手方向一端部に給排気口２６を有し、この給排気口２６を通して給気されることにより膨脹するとともに、給排気口２６を通して排気することにより収縮するものである。
【００２３】
第１空気袋群をなす各空気袋１３Ａ〜１３Ｈは、マッサージ基板２１の表面側に、この基板２１の長手方向に沿って一定間隔で並べて取付けられている。この場合、各空気袋１３Ａ〜１３Ｈはその給排気口２６を図１（Ａ）において下に向けて取付けられている。第２空気袋群をなす各空気袋１４Ａ〜１４Ｈは、第１空気袋群の各空気袋１３Ａ〜１３Ｈと同数又はこれより一つ異なる数が使用され、これらの空気袋１４Ａ〜１４Ｈは、各空気袋１３Ａ〜１３Ｈに対して交互に配置されてマッサージ基板２１の表面側に、この基板２１の長手方向に沿って一定間隔で並べて取付けられている。この場合、各空気袋１４Ａ〜１４Ｈはその給排気口２６を図１（Ａ）において上に向けて取付けられている。したがって、隣接する空気袋はその給排気口２６が互いに逆向きとなるように反転している。このような取付けにより、第１空気袋群の空気袋１３Ａ〜１３Ｈと第２空気袋群の空気袋１４Ａ〜１４Ｈとは、マット部１２に横たわった使用者の肩部から下肢にわたる範囲をエアマッサージできるように、互いに一部を重なり合わせてヘッドレスト２４とエアー給排気装置１７との間にわたって配置されている。
【００２４】
このように互いに隣接してマット部１２の幅方向中央部に空気袋列をなして配置された空気袋１３Ａ〜１３Ｈ、１４Ａ〜１４Ｈ相互の取付けピッチは、前記一定間隔の１／２であり、このピッチは、後述の第１順次膨脹運転モードで運転した時に、互いに隣接して膨脹している空気袋がその最大膨脹時に互いを押し退けないように軽微に接触ないしは近接するとともに、収縮状態では隣接した空気袋の一部が互いに重なるピッチに設定するとよく、こうすることで、マッサージ基板２１に対して高密度に２群の空気袋１３Ａ〜１３Ｈ、１４Ａ〜１４Ｈを配設できる。
【００２５】
各空気袋１３Ａ〜１３Ｈ、１４Ａ〜１４Ｈのマッサージ基板２１への取付けは、これら空気袋１３Ａ〜１３Ｈ、１４Ａ〜１４Ｈの一側縁に一体に突設された取付け片２７およびマッサージ基板２１に亘って挿通するブッシュやビス等の固定部品又は接着剤（いずれも図示しない）を用いて行われ、その場合、各空気袋１３Ａ〜１３Ｈ、１４Ａ〜１４Ｈはその取付け片２７をヘッドレスト２４側に向けてマッサージ基板２１上に夫々取付けられている。
【００２６】
図１に示されるように前記エアー給排気装置１７は、マッサージ基板２１に固定された筐体３１と、この筐体３１に内蔵され例えば電磁駆動によりダイアフラムを動かしてポンプ作動を営む第１、第２のポンプ３２、３３と、これら両ポンプ３２、３３にエアーホースを介して個別に接続された第１、第２の空気分配器３４、３５とを備えている。両ポンプ３２、３３を内蔵した筐体３１は前記長手方向一端部においてマット部１２の幅方向中央部に配置されている。第１空気分配器３４は前記長手方向一端部においてマット部１２の幅方向一端側に寄せて配置されており、同様に第２空気分配器３５は前記長手方向一端部においてマット部１２の幅方向他端側に寄せて配置されている。両分配器３４、３５は、そのいずれもが有した導管接続口３４ａ、３５ａを、マット部１２のヘッドレスト２４側つまり長手方向他端部側に向けて前記両位置に振分けて配置されている。なお、導管接続口３４ａはその内側に前記各導管１５Ａ〜１５Ｈと同数の接続口部（図示しない）を有しており、同様に導管接続口３５ａもその内側に前記各導管１６Ａ〜１６Ｈと同数の接続口部（図示しない）を有している。
【００２７】
第１、第２の空気分配器３４、３５は排気部を有するロータリー弁からなり、その弁体の回転動作に従い第１空気袋群の空気袋１３Ａ〜１３Ｈ又は第２空気袋群の空気袋１４Ａ〜１４Ｈに対する給気と排気とを担って、これら空気袋１３Ａ〜１３Ｈ、１４Ａ〜１４Ｈをその並び方向に沿って一つずつ順に膨脹・収縮させ、若しくは各空気袋１３Ａ〜１３Ｈ、１４Ａ〜１４Ｈ又は同時又は選択的に膨脹・収縮させるようになっている。
【００２８】
こうした膨脹・収縮を可能とするために前記第１導管群をなす軟質塩化ビニル製の導管１５Ａ〜１５Ｈは、その一端を第１空気分配器３４の導管接続口３４ａに夫々接続するとともに、他端を第１空気袋群をなした各空気袋１３Ａ〜１３Ｈの給排気口２６に個別に接続して、マット部１２の幅方向一端側に寄せて配管されている。同様に、前記膨脹・収縮を可能とするために前記第２導管群をなす軟質塩化ビニル製の導管１６Ａ〜１６Ｈは、その一端を第２空気分配器３５の導管接続口３５ａに夫々接続するとともに、他端を第２空気袋群をなした各空気袋１４Ａ〜１４Ｈの給排気口２６に個別に接続して、マット部１２の幅方向他端側に寄せて配管されている。したがって、第１、第２の導管群に２分された各導管１５Ａ〜１５Ｈ、１６Ａ〜１６Ｈは、マット部１２の幅方向両端側に均等に振分けられて前記空気袋列の両側に夫々配置されている。
【００２９】
エアー給排気装置１７の給排気動作を制御する制御装置１８（図２参照）は、エアー給排気装置１７の近傍に配置されたマイクロコンピュータ等からなる制御部１８ａと、これに接続された図示しないリモートコントローラ等の入力部１８ｂとを備え、入力部１８ｂは使用者等によって操作される。この制御装置１８は、入力部１８ｂからの操作入力で指定された各種の運転モードに応じて、前記両ポンプ３２、３３の運転及び両空気分配器３４、３５の空気分配動作を制御する。運転モードとしては、順次膨脹運転モード、群選択運転モード、交互運転モード、同時運転モード、ポイント運転モード等がある。
【００３０】
順次膨脹運転モードは、全ての空気袋１３Ａ〜１３Ｈ、１４Ａ〜１４Ｈを頭部側から足元側へ、又はこの逆に順次膨脹・収縮させるモードであり、その場合にも、隣接した空気袋の膨脹している時間をオーバーラップさせながら各空気袋１３Ａ〜１３Ｈ、１４Ａ〜１４Ｈをその並び方向に沿って順に膨脹・収縮させる第１順次膨脹運転モードと、前記のような膨脹のオーバラップを設けることなく各空気袋１３Ａ〜１３Ｈ又は１４Ａ〜１４Ｈをその並び方向に沿って交互に一つずつ順に膨脹・収縮させる第２順次膨脹運転モードとがある。このモードでは全ての空気袋１３Ａ〜１３Ｈ、１４Ａ〜１４Ｈを膨脹・収縮させるので高密度マッサージが可能である。
【００３１】
前記第１順次膨脹運転モードにおいて隣接する空気袋に対する空気の給排気を順次オーバーラップして行うことは、空気袋が２群に分かれていて、例えば前記第１空気袋群の或る空気袋に、第１ポンプ３２から吐出される圧縮空気が第１空気分配器３４及び第１導管群の或る導管を介して供給されて、この空気袋が膨脹状態にある時に、前記膨脹状態の空気袋に隣接する第２空気袋群の或る空気袋に対して、第１ポンプ３２とは別の第２ポンプ３３から吐出される圧縮空気を第２空気分配器３５及び第２導管群の或る導管を介して供給することにより実現できる。この第１順次膨脹運転モードでは、以上のように互いに隣接した空気袋が膨脹している時間がオーバーラップしながら、各空気袋がその並び方向に順次膨脹・収縮するから、使用者の身体を擦るような波動的な押圧動作によるマッサージ刺激を使用者に与えることができる。
【００３２】
群選択運転モードは、前記第１又は第２の空気袋群のいずれかを選択し、その選択された群の空気袋１３Ａ〜１３Ｈ又は１４Ａ〜１４Ｈを同時に又は並び順に膨脹・収縮させるモードである。このモードでは半数の空気袋１３Ａ〜１３Ｈ又は１４Ａ〜１４Ｈ、つまり、一つ置きの空気袋を膨脹・収縮させるので中密度マッサージが可能である。交互運転モードは、前記第１空気袋群の１３Ａ〜１３Ｈと第２空気袋群の空気袋１４Ａ〜１４Ｈとを交互に膨脹・収縮させるモードであり、このモードにおいても中密度マッサージが可能である。同時運転モードは、前記第１空気袋群と第２空気袋群の空気袋を同時に、言い換えれば、全ての空気袋１３Ａ〜１３Ｈ、１４Ａ〜１４Ｈを同時に膨脹・収縮させるモードであり、このモードでは高密度マッサージが可能である。ポイント運転モードは、所望とする位置の空気袋だけを選択して膨脹・収縮させるモードであり、このモードでは低密度マッサージが可能である。
【００３３】
前記各運転モードを有していることにより、使用者の好みに応じた態様で必要な空気袋を膨脹・収縮させて、マット部１２上に横たわった使用者に対する多様なエアーマッサージをすることができる。
【００３４】
以上のように使用可能なマット式エアーマッサージ機１１は、図１（Ａ）に示されるようにマット部１２上に配置された各部品は実質的に対称である。すなわち、いずれも同じ大きさの各空気袋１３Ａ〜１３Ｈ、１４Ａ〜１４Ｈは、マット部１２の幅方向中央部に空気袋列をなしてマット部１２の幅方向に関して対称に取付けられている。更に、エアー給排気装置１７の両ポンプ３２、３３を内蔵した筐体３１及び制御装置１８の制御部１８ａは、夫々マット部１２の幅方向中央部に配置されてマット部１２の幅方向に関して対称に配置されている。又、エアー給排気装置１７が有する第１、第２の空気分配器３４、３５はマット部１２の幅方向両側に振分けられて同幅方向に関して対称に配置されている。しかも、第１空気袋群の各空気袋１３Ａ〜１３Ｈ及び第１空気分配器３４を連通して第１導管群をなす複数の導管１５Ａ〜１５Ｈと、第２空気袋群の各空気袋１４Ａ〜１４Ｈ及び第２空気分配器３５を連通して第２導管群をなす複数の導管１６Ａ〜１６Ｈとは、マット部１２の幅方向両側に振分けられて同幅方向に関して略対称に配置されている。
【００３５】
このような各部品の配置によれば、第２導管群の各導管１６Ａ〜１６Ｈの夫々の長さが、第１導管群の各導管１５Ａ〜１５Ｈの長さよりも、前記取付けピッチ相当分だけ夫々短いものの、マット部１２上の各部品は実質的に対称に配置されているから、第１、第２の空気袋群の空気袋１３Ａ〜１３Ｈ、１４Ａ〜１４Ｈに給排気される空気を個別に導く第１、第２の導管群等が、マット部１２の幅方向一端側にまとめて配置されることがない。
【００３６】
そのため、第１、第２の導管群と、第１、第２の空気分配器３４、３５、第１、第２のポンプ３２、３３、及び制御部１８ａが、マット部１２の幅方向片側を重くする原因とならず、マット部１２の幅方向の重量バランスを均衡させることができるから、マット部１２を持ち運ぶ場合等における取扱いを容易にできる。
【００３７】
更に、既述のように空気袋１３Ａ〜１３Ｈ、１４Ａ〜１４Ｈと同数の導管を２群に分けてマット部１２の幅方向に振分けて配置したから、図１（Ａ）のように空気袋１３Ａ〜１３Ｈ、１４Ａ〜１４Ｈの配設密度が高いことに応じて、使用する導管１５Ａ〜１５Ｈ、１６Ａ〜１６Ｈの数が多いにも拘らず、第１導管群の導管１５Ａ〜１５Ｈ及び第２導管群の導管が１６Ａ〜１６Ｈの夫々が密に混み入らないように配管できる。そのため、これらの導管１５Ａ〜１５Ｈ、１６Ａ〜１６Ｈをマット部１２上に配管する作業を容易にできるとともに、損傷した導管をメンテナンスする際の作業も容易にできるものである。
【００３８】
そして、マット部１２上に各導管１５Ａ〜１５Ｈ、１６Ａ〜１６Ｈを配管するに際して、これらの一端が接続される第１、第２の空気分配器３４、３５を、その導管接続口３４ａ、３５ａを前記ヘッドレスト２４側に向けて配置したから、導管接続口３４ａ、３５ａの突出方向と各導管１５Ａ〜１５Ｈ、１６Ａ〜１６Ｈのマット部１２の長手方向に延びる方向とが一致し、第１又は第２の空気分配器３４、３５の周囲を回り込むように各導管１５Ａ〜１５Ｈ、１６Ａ〜１６Ｈを引き回わさないで済む。そのため、各導管１５Ａ〜１５Ｈ、１６Ａ〜１６Ｈを第１、第２の空気分配機３４、３５の導管接続口３４ａ、３５ａに容易に接続できる。
【００３９】
又、前記マット式エアーマッサージ機は、第１、第２の空気袋群がなした空気袋列の両側に第１、第２の導管群を配置した構成であるから、各導管１５Ａ〜１５Ｈ、１６Ａ〜１６Ｈが各空気袋１３Ａ〜１３Ｈ、１４Ａ〜１４Ｈの下側に重なることがない。そのため、各導管１５Ａ〜１５Ｈ、１６Ａ〜１６Ｈが軟質塩化ビニル製であるにも拘らず、各空気袋１３Ａ〜１３Ｈ、１４Ａ〜１４Ｈの膨脹や使用者の体重によって各導管１５Ａ〜１５Ｈ、１６Ａ〜１６Ｈが押し潰されて、給排気不良を生じる恐れがない。
【００４０】
しかも、前記マット式エアーマッサージ機は、前記空気袋列をマット部１２の幅方向中央部に配置しているので、使用者の多少の体格の差などに拘らずマット部１２上に横たわった使用者と前記空気袋列との対応関係を適正に確保し易い。そして、前記配置に加えて、既述のように各空気袋１３Ａ〜１３Ｈ，１４Ａ〜１４Ｈと同数の導管１５Ａ〜１５Ｈ、１６Ａ〜１６Ｈを２群に分けてマット部１２の幅方向に振分けて配置したので、マット部１２の幅方向片側に無駄なスペースが形成されることがなくなるとともに、夫々の導管群を配管するのに必要な幅方向スペースを狭くできる。そのため、マット部１２の幅が小さくなって全体を小形にできる。
【００４１】
しかも、第１実施形態の構成では、交互に向きを変えてマット部１２に取付けられた各空気袋１３Ａ〜１３Ｈ、１４Ａ〜１４Ｈの夫々の給排気口２６が、空気袋のマット部１２両側縁に最も近い辺からマット部１２の側縁に向けて突設されているので、これらに接続される各導管１５Ａ〜１５Ｈ、１６Ａ〜１６Ｈの寸法を短くできるとともに、これら導管１５Ａ〜１５Ｈ、１６Ａ〜１６Ｈの空気袋側端部が空気袋１３Ａ〜１３Ｈ、１４Ａ〜１４Ｈと重なり合って配管されることがなくなり、配管構造を合理的にできる。
【００４２】
図３は本発明の第２の実施の形態に係るマット式エアーマッサージ機を示している。この第２実施形態は、第１導管群と第２導管群とを同じ長さとするとともに、それに応じていずれか一方例えば第１導管群を、両ポンプ３２、３３を内蔵した筐体３１が配置されたマット部１２の長手方向一端側にずらして配管している。なお、以上の点以外は図３に示されない部分を含めて前記第１実施形態と同じであるので、同一部分には同じ符号を付してその作用効果とともに説明を省略する。
【００４３】
したがって、この第２実施形態においても第１実施形態と同様に本発明の課題を解決できる。加えて、第１、第２の導管群の導管１５Ａ、１６Ａ同士、導管１５Ｂ、１６Ｂ同士、導管１５Ｃ、１６Ｃ同士、導管１５Ｄ、１６Ｄ同士、導管１５Ｅ、１６Ｅ同士、導管１５Ｆ、１６Ｆ同士、導管１５Ｇ、１６Ｇ同士、及び導管１５Ｈ、１６Ｈ同士を同じ長さとできるので、部品管理を容易にできるとともに、これら導管の組付け間違いを少なくできる。
【００４４】
図４は本発明の第３の実施の形態に係るマット式エアーマッサージ機を示している。この第３実施形態は、エアー給排気装置１７の構成を、一つのポンプから第１、第２の空気分配器に供給する構成としたものである。すなわち、一台のポンプ４１の圧縮空気吐出し口にホース４２の一端が接続され、このホース４２の他端側は二つに分岐されている。そして、ホース４２の一方の分岐端部に第１電磁開閉弁４３を接続するとともに、他方の分岐端部に第２電磁開閉弁４４を接続している。第１電磁開閉弁４３には前記第１空気分配器３４が接続され、第２電磁開閉弁４４には前記第２空気分配器３５が接続されている。両電磁開閉弁４３、４４は前記制御部１８ａによって開閉制御されるようになっている。なお、以上の点以外は図４に示されない部分を含めて前記第１実施形態と同じであるので、同一部分には同じ符号を付してその作用効果とともに説明を省略する。
【００４５】
この第３実施形態においても第１実施形態と同様に本発明の課題を解決できる。
【００４６】
なお、前記第各実施形態は夫々以上のように構成したが、これらの実施形態においてヘッドレスト側の空気袋に重ねて捻り用空気袋を一対追加してもよい。これら捻り用空気袋はマット部に横たわった使用者の肩甲骨部分に対応するようにマット部の長手方向に延びて配置されるとともに、これらの空気袋に接続された導管は前記第１、第２の導管群のいずれかに振分けられる。そして、これら捻り用空気袋の内のいずれか一方の膨脹により使用者の上体に捻りを与えることができる。
【００４７】
【発明の効果】
請求項１に係る発明のマット式エアーマッサージ機によれば、空気袋と同数の導管を原因としてマット部の重量がその幅方向一端側に片寄ることがなくなり、マット部の幅方向の重量バランスを均衡させることができるので、マット部の持ち運び等における取扱いを容易にできるとともに、導管の数が多い場合であってもまとめられる導管が密に混み入らないようにできるため、各導管のマット部への配管作業及びメンテナンス作業を容易にできる。
【００４８】
請求項１の発明に従属する請求項２に係る発明のマット式エアーマッサージ機によれば、第１、第２の導管群を配管するのに必要な幅方向スペースが狭くて済むので、マット部の幅方向の小形化を図ることができる。
【図面の簡単な説明】
【図１】（Ａ）は本発明の第１の実施の形態に係るマット式エアーマッサージ機全体の構成を一部省略して示す平面図。
（Ｂ）は第１の実施の形態に係るエアーマッサージ機全体の構成を示す縦断側面図。
【図２】図１に示されたエアーマッサージ機の構成を示す概略図。
【図３】本発明の第２の実施の形態に係るマット式エアーマッサージ機全体の構成を一部省略して示す平面図。
【図４】本発明の第３の実施の形態に係るマット式エアーマッサージ機の構成を示す概略図。
【図５】従来のマット式エアーマッサージ機の構成を示す概略図。
【符号の説明】
１１…マッサージ機
１２…マット部
１３Ａ〜１３Ｈ…第１空気袋群の空気袋
１４Ａ〜１４Ｈ…第２空気袋群の空気袋
１５Ａ〜１５Ｈ…第１導管群の導管
１６Ａ〜１６Ｈ…第２導管群の導管
１７…エアー給排気装置
３２…第１ポンプ
３３…第２ポンプ
３４…第１空気分配器
３５…第２空気分配器
３４ａ、３５ａ…導管接続口
【図１】
0003912930.tif 000002
【図２】
0003912930.tif 000003
【図３】
0003912930.tif 000004
【図４】
0003912930.tif 000005
【図５】
0003912930.tif 000006